(57)【要約】【課題】従来の、排水溝及び側溝のグレーティングは外れ防止構造体であっても災害等、緊急事態発生時に着脱が手間取り、初期処置が遅れて大事に至ることがある。また自動車等通過時の振動で騒音と外れが発生し環境を悪化するため、これを防止する騒音と外れ防止支持構造体グレーティングの提供を課題とする。【解決手段】グレーティング四隅枠内にガイド穴を設けた枠フラットバー、カムを構成したカム軸受け支え板、梃子受け板、抜け止め板を形成し、これに複数条の角溝形成の作動ピンと圧縮コイルバネを構成し、作動ピン勾配先端を敷設枠壁のインサート穴に強く押入し、カム爪を作動ピン先端側角溝に噛合せて作動ピン戻りを係止してグレーティング敷設が完了する。取り外しは梃子と梃子受け板で角溝からカム爪を外し作動ピンを枠内に戻しカム爪を半回転して係止する。【選択図】  図１
2004339909.tif 000002
【特許請求の範囲】
【請求項１】
グレーティング角のサイドフラットバーと隣り合わせのフラットバー間に形成する、作動ピンガイド穴ａを形成した抜け止め板、梃子受け板、カムを構成するカム回転軸受支え板と、更に作動ピンガイド穴ｃを形成したグレーティング枠フラットバーに圧縮コイルバネと座金と作動ピンを構成する、そしてグレーティング敷設は、作動ピン右先端をグレーティング敷設枠壁のインサート穴に圧縮コイルバネの圧力で挿入し右先端に形成する勾配によりインサート穴上部に強く押入してグレーティングを係止する、更に作動ピン中央上部の複数条の角溝にカム爪を噛ませて作動ピンの抜け防止を特徴としてなる、騒音と外れ防止支持構造体グレーティング。
【請求項２】
作動ピンは金属棒、または強化プラステック製で全長の左方約３分１長さの外径を他より若干細く、更に垂直二面切欠に形成する、又左端側に割りピン用の横貫通穴を形成する、そして全長中央範囲上面または全周に複数条の角溝を等間隔に形成する、更に右先端のグレーティング敷設枠壁のインサート穴に挿入する部分には上稜から下稜に２０〜２５度の勾配かテーパを形成する、請求項１に記載の騒音と外れ防止支持構造体グレーティング。
【請求項３】
サイドフラットバーと隣り合わせのフラットバー間に適合する巾の金属製抜け止め板の巾中心と下端より作動ピン中央外径相当を中心とした作動ピン左端側に適合する縦長のガイド穴ａを形成する、そして抜け止め板の位置は作動ピン右先端がグレーティング敷設枠壁のインサート穴突き当たりに余裕を残して伸ばした状態で作動ピン左端の割りピン穴右端側に直角垂直に固定形成する、請求項１に記載の騒音と外れ防止支持構造体グレーティング。
【請求項４】
鉄製カム回転軸受け支え板の巾は、抜け止め板と同巾で巾の中心と下端より作動ピン中央部外径相当を中心として、作動ピン中央外径に適合のガイド穴ｂを形成する、更にグレーティング枠フラットバーにカム回転軸受け支え板と同位置にガイド穴ｃを形成する、またカム回転軸受支え板上端部にはカム回転軸受けを形成し、カム回転軸とカムを構成したカム回転軸受け支え板の固定形成する位置は、サイドフラットバーと隣り合わせのフラットバー間で作動ピン右先端をグレーティング敷設枠壁のインサート穴突き当てに余裕を残して伸ばした状態で、カムを右半回転し作動ピン上部の角溝にカム爪を噛ませて、なお２乃至３条の角溝が右側にある状態で直角垂直に固定形成する、請求項１に記載の騒音と外れ防止構造体グレーティング。
【請求項５】
鉄製の梃子受け板は、抜け防止板と同じ巾で上端部を９０度に形成する、そして巾の中心と下端より作動ピン中央部外径相当を中心として作動ピン中央部外径に適合するガイド穴ｄを形成する、そしてサイドフラットバーと隣り合わせのフラットバー間に固定形成する位置は、カム回転軸中心にカム爪を左に半回転し、作動ピン上部角溝に噛ませた状態で梃子受け板の左右両面より角溝が１条以上有る位置に直角垂直に固定形成する、なおこの位置又は側近にクロスバーが有るグレーティングは梃子受け板の構成は不要とする、請求項１に記載の騒音と外れ防止構造体グレーティング。
【請求項６】
作動ピン左端をグレーティング枠フラットバーのガイド穴ｃ及びカム回転軸受け支え板のガイド穴ｂに通し、更に梃子受け板ガイド穴ｄに通しコイルバネ座金と圧縮コイルバネに通して抜け止め板ガイド穴ａに作動ピン左端を通し割りピンにて係止する、更に作動ピン右先端がグレーティング枠フラットバーのガイド穴ｃに入った位置でカムを左半回転し、作動ピン上部角溝にカム爪を噛み合わせて作動ピンを停止する、請求項１に記載の騒音と外れ防止構造体グレーティング。
【請求項７】
グレーティング敷設枠壁に形成するインサート穴は鉄製で巾は作動ピン径より広く縦巾は作動ピン径に適合させる、奥行きは作動ピンを伸ばした先端位置で形成する、更にインサート穴両脇下方下端に９０度形成した細長の脚を形成する、なおインサート位置は作動ピン左右中心で高さ位置は作動ピン直径より下方半径以内に形成する、請求項１に記載の騒音と外れ防止構造体グレーティング。
【発明の詳細な説明】
【０００１】
【発明の属する技術分野】
本発明は、排水溝及び側溝の上開口に敷設する、騒音と外れ防止支持構造体グレーティングに関するものである。
【０００２】
【従来の技術】
従来の技術は、側溝上開口内周壁近傍の底面より押圧板体を垂下し、少なくとも下端部が内周壁に所定長さに亘って当接するよう構成することを特徴とする開口蓋体の支持構造体（例えば、特許文献１参照。）。
また、側溝蓋に隣接するコンクリート製の第二側溝蓋側壁に埋め込まれるインサート部材と第二側溝蓋側壁に設けられた透孔を貫通した状態でインサート部材に着脱可能に取り付けられる係止ピンを備えることを特徴とする側溝蓋外れ防止具（例えば、特許文献２参照。）。
また、グレーティング押さえ金具（１３）として、ゴム部材（１６）の底部の内側相当の巾を有し、水平部にボルト孔を有するＬ字状板とその直立部に接続した逆Ｕ字状板とからなるものＬ字状板の水平部をゴム部材（１６）の底部上に載置し、逆Ｕ字状板を凹陥部（４）に隣接するグレーティング（７）のエンドプレート（８）の上縁の切欠部分に当接跨座させ、当該エンドプレート（８）にかかるメインバー（９）を避けるためあらかじめ逆Ｕ字状板に切り溝を設けておき、凹陥部（４）底板の突出ボルトに対しワッシャーを介してナットを締め押さえ金具（１３）凹陥部（４）に固定することからなる受け枠部材に対するグレーティングの取付構造（例えば、特許文献３参照。）。
【０００３】
【特許文献１】
特開平１１−６１９５号公報（第２頁、第１図）
【特許文献２】
特開２００１−２８８８０４号公報（第２頁、第１図、第２図）
【特許文献３】
特開２００２−２２７２８６（Ｐ２００２−２２７２８６Ａ）号公報（第１頁、第１図）
【０００４】
【発明が解決しようとする課題】
この様な従来の、側溝外れ防止構造体であっても災害等、緊急事態発生時の初期処置に手間取り、大事に至ることがある。また自動車等通過時の振動で騒音と外れが発生し環境を悪化する為、これを防止する騒音と外れ防止支持構造体グレーティングの提供を課題とする。
【０００５】
【課題を解決するための手段】
本発明は、グレーティング角のサイドフラットバーと隣り合わせのフラットバー間に形成する、作動ピンガイド穴ａを形成した抜け止め板、梃子受け板、カムを構成するカム回転軸受け支え板と、更に作動ピンガイド穴ｃを形成したグレーティング枠フラットバーに圧縮コイルバネと座金と作動ピンを構成する、そしてグレーティング敷設は、作動ピン右先端をグレーティング敷設枠壁のインサート穴に圧縮コイルバネの圧力で挿入し右先端に形成する勾配によりインサート穴上部に強く押入してグレーティングを係止する、更に作動ピン中央上部の複数条の角溝にカム爪を噛ませて作動ピンの抜けを防止する騒音と外れ防止支持構造体グレーティングを提供する事により上記課題を解決したものである。
【０００６】
【実施例】
本発明の、騒音と外れ防止支持構造体グレーティングの実施例について、図１、図２に基づいて説明する。作動ピン１は金属棒、または強化プラステック製で全長の左方約３分１長さの外径を他より若干細く、垂直二面切欠２に形成する、又左端側に割りピン２５用の横貫通穴３を形成する、そして全長中央範囲上面または全周に複数条の角溝４を等間隔に形成する、さらに右先端６のグレーティング敷設枠壁５のインサート穴７に挿入する部分には上稜から下稜に２０〜２５度の勾配かテーパーを形成する。
【０００７】
サイドフラットバー８と隣り合わせのフラットバー９間に適合する巾の金属製抜け止め板１０の巾中心と下端より作動ピン１中央外径相当を中心とした作動ピン１左端側に適合する縦長のガイド穴ａ１１を形成する、そして抜け止め板１０の位置は作動ピン１右先端がグレーティング敷設枠壁５のインサート穴７突き当たりに余裕を残して伸ばした状態で作動ピン１左端の割りピン穴３右端側に直角垂直に固定形成する。
【０００８】
鉄製カム回転軸受け支え板１２の巾は、抜け止め板１０と同巾で巾の中心と下端より作動ピン１中央部外径相当を中心として、作動ピン１中央部外径に適合のガイド穴ｂ１３を形成する、更にグレーティング枠フラットバー２１にカム回転軸受け支え板１２と同位置にガイド穴ｃ２２を形成する、またカム回転軸受け支え板１２上端部にカム回転軸受１４を形成し、カム回転軸１５とカム１６を構成したカム回転軸受け支え板１２の固定形成する位置は、サイドフラットバー８と隣り合わせのフラットバー９間で作動ピン１右先端をグレーティング敷設枠壁５のインサート穴７突き当てに余裕を残して伸ばした状態で、カム１６を右半回転し作動ピン１上部の角溝４にカム爪１７を噛ませて、なお２乃至３条の角溝４が右側にある状態で直角垂直に固定形成する。
【０００９】
鉄製の梃子受け板１８は、抜け防止板１０と同じ巾で上端部を９０度に形成する、そして巾の中心と下端より作動ピン１中央部外径相当を中心として作動ピン１中央部外径に適合するガイド穴ｄ１９を形成する、そしてサイドフラットバー８と隣り合わせのフラットバー９間に固定形成する位置は、カム回転軸１５中心にカム爪１７を左半回転し、作動ピン１上部角溝４に噛ませた状態で梃子受け板１８の左右両面より角溝４が１条以上有る位置に直角垂直に固定形成する、尚この位置又は側近にクロスバー２０があるグレーティングは梃子受け板１８の構成は不要とする。
【００１０】
作動ピン１左端をグレーティング枠フラットバー２１のガイド穴ｃ２２及びカム回転軸受け支え板１２のガイド穴ｂ１３に通し、更に梃子受け板１８ガイド穴ｄ１９に通しコイルバネ座金２３と圧縮コイルバネ２４に通して抜け止め板１０ガイド穴ａ１１に作動ピン１左端を通し割りピン２５にて係止する、更に作動ピン１右先端がグレーティング枠フラットバー２１のガイド穴ｃ２２に入った位置でカム１６を左半回転し、作動ピン１上部角溝４にカム爪１７を噛み合わせて作動ピン１を停止する。
【００１１】
グレーティング敷設枠壁５に形成するインサート穴７は鉄製で巾は作動ピン１径より広く縦巾は作動ピン１径に適合させる、奥行きは作動ピン１を伸ばした先端位置で形成する、更にインサート穴７両脇下方下端に９０度形成した細長の脚２６を形成する、なおインサート位置は作動ピン１左右中心で高さ位置は作動ピン１直径より下方半径以内に形成する。
【００１２】
【発明の効果】
本発明は次の効果がある。排水溝及び側溝の開口上部敷設に供する固定支持構造を有するグレーティングは、梃子棒により着脱作業が容易であり、またグレーティングの四隅を作動ピンと敷設枠壁インサート穴により強く固定係止する事により、グレーティングの騒音と外れ防止に貢献する。また災害、緊急事態発生時の初期処置に効を奏する。
【図面の簡単な説明】
【図１】本発明に係わる騒音と外れ防止支持構造体グレーティングの構造を示す図２のＡ−Ａ断面図である。
【図２】騒音と外れ防止支持構造体グレーティングの発明構造箇所の平面図である。
【符号の説明】
１・・・作動ピン
２・・・二面切欠
３・・・割りピン穴
４・・・角溝
５・・・グレーティング敷設枠壁
６・・・挿入先端部
７・・・インサート穴
８・・・サイドフラットバー
９・・・フラットバー
１０・・・抜け止め板
１１・・・ガイド穴ａ
１２・・・カム回転軸受け支え板
１３・・・ガイド穴ｂ
１４・・・カム回転軸受け
１５・・・カム回転軸
１６・・・カム
１７・・・カム爪
１８・・・梃子受け板
１９・・・ガイド穴ｄ
２０・・・クロスバー
２１・・・グレーティング枠フラットバー
２２・・・ガイド穴ｃ
２３・・・座金
２４・・・圧縮コイルバネ
２５・・・割りピン
２６・・・脚
２７・・・側溝
２８・・・グレーティング受棚
【図１】
2004339909.tif 000003
【図２】
2004339909.tif 000004